(57)【要約】【課題】薄型テレビ受像器を壁掛けテレビとして使うことが出来る様にするもので、観賞し易い様に映像面を傾けられる様にして実用化を図った。【解決手段】テレビ受像器３の裏面に角度と長さが調整できる支柱４と５を設け、更に支柱４と５の間隔が、テレビ受像器が垂直方向に勝手に傾かない様に決めている。【選択図】図１
2007068136.tif 000002
【特許請求の範囲】
【請求項１】
テレビ受像器の支持具であって、先端部に吊り具を有し、且つ前記受像器を傾ける為の支柱を前記受像器の一方の側に備えると共に、前記支柱の下方で且つ前記受像器の重量による回転力を持ち消す為に前記支柱から離間させた第２の支柱を備えたテレビ受像器の支持具。
【請求項２】
前記吊り具と、前記テレビ受像器のもう一方の側に設けた第２の吊り具とに各々係合し且つレールに移動可能に各々結合された線条に垂直方向の位置調整可能な第３、第４の吊り具を備える請求項１のテレビ受像器の支持具。
【発明の詳細な説明】
【技術分野】
【０００１】  本発明は、テレビ受像器の映像面を見易くする為の支持具に関し、薄型テレビを壁掛けテレビとして使用できる様にしたものである。
【背景技術】
【０００２】  テレビ受像器が薄型化され、液晶テレビ、プラズマテレビなどが世に出て久しい。これらテレビ受像器は、通常、テレビ受像器の厚さの３倍以上の幅を持つ支持板の上の支柱に支持され、更に幅広の支持台の上に乗せて使われているのが、現状である。【０００３】  一方、公共施設や病院では、人々に見易くするために、特別に設計し製作された強固な支持機構でテレビ受像器を下方へ傾けて壁に固定した例が散見される。
【発明の開示】
【発明が解決しようとする課題】
【０００４】  薄型テレビは、元来、壁掛けテレビと言うコンセプトの下に開発されて来たものであるが、薄型テレビが完成し、更に映像画面が横長になるにおよんで、壁に掛けて使用されることはほとんどないのが現状である。【０００５】  その理由を考究した処、今の薄型テレビを壁に掛けると映像面は壁に平行にしかならないから、人が見る位置の正面にテレビ受像器を掛けるスペースが取れない場合、映像を見る人は斜めから見る以外になく、角度が強くなると見難くなるためだと気付いた。【０００６】  本発明は、薄型テレビ受像器を見易い状態で、壁掛け形式で設置することを目的とする。【０００７】  そして本発明は上記の目的を達成するため、先端部に吊り具を有し且つ前記受像器を傾ける為の支柱を前記受像器の一方の側に備えると共に、前記支柱の下方で且つ前記受像器の重量による回転力を持ち消す為に前記支柱から離間させた第２の支柱を備えたものである。尚、吊り具は、環状のもの、フック状のもの、カラビナ状のものなど種々使用できる。又、支柱は受像器を傾ける一法として、伸縮、揺動可能なものが良い。【０００８】  また第２の課題解決手段は、前記吊り具と、前記テレビ受像器のもう一方の側に設けた第２の吊り具とに各々係合し且つレールに移動可能に各々結合された線条に垂直方向の位置調整可能な第３、第４の吊り具を備えるものである。尚、線条は細いワイヤー、くさり、細い棒などを使用できる。又、レールと線条を使う替りに、壁に固定するフック等を使っても良い。
【発明の効果】
【０００９】  本発明は、壁掛け形式でテレビ受像面を設置することができるので、小スペース化を達成できる効果がある。更に近年は、壁ぎわの天井もしくは壁に絵画を掛けるための、ピクチャーレールとそこに移動可能な細いワイヤーを係合させた係け具を図５の様に設置した家も多く、簡便に壁掛けテレビを実現することができる。
【発明を実施するための最良の形態】
【００１０】  以下、本発明の実施の形態を、概要を示す図１と、構成部材を示す図２、図３に沿って説明する。
図１において、破線で区切られた部分１は壁の一部を想定し、一点鎖線の２は水平軸を表わす。３は薄型テレビ受像器で、映像面は裏側に有る。４と５は、テレビ受像器を水平軸２に対して傾けるための夫々、支柱であって、先端は壁１に接触している。【００１１】  ６と７は、先端が壁１に接触する接触端子である。前記支柱４と５が壁１に各々垂直に当接し、接触端子６と７が壁１に各々当接した状態で、支柱４と５の長さが決定されることで受像器３は所望の角度だけ傾けられる。【００１２】  図２は、支柱４と５及びテレビ受像器３に内臓された軸受部を描いている。支柱４と５は、夫々、基管１１、中間管１２、先頭管１３が順に入れこ構造になっており、基管１１の内に中間管１２と先頭管１３が押し込まれると、テレビ受像器３は１０度傾く。そして、中間管１２を引出すと２０度傾き、先頭管を引出すと３０度傾く設定にしている。【００１３】  １４は、基管１１の図示していない雄ねじと螺合する調整ナットである。また基管１１にはスリット１５が両側に設けられ、内部はテーパーにしているので、ナット１４を回転させることで、中間筒１２を前後に動かしたり、固定したりすることができる。【００１４】  先頭管１３の後端には雄ねじ１６を設けており、中間管１２の雌ねじと螺合している。別の雄ねじ１７は、先頭管１３を押し込んだ時、中間管１２の雌ねじと螺合して位合調整に使うものであるが、２つに分けずに全体をねじにしても良い。【００１５】  １８は、先頭管１３に対して回転自在の環で、吊り環１９を備えている。２０は、壁に接触するクッション・ゴムである。一方、基管１１の後端には雄ねじ２１が設けられている。【００１６】  ２２は軸受部で、球体２３には先の雄ねじ２１と螺合する雌ねじ２４が設けられている。また２５と２６は回転軸で、軸受板２７と２８に各々回転自在に保持されている。２９と３０はバネ・クリックで先端のクリック・ボールは球体２３に刻まれた凹部列３１と当合する。凹部列３１は、テレビ受像器３の傾き、１０度、１５度、２０度、２５度、３０度に応じて備えており、図では支柱１１の時計回りの列を描いているが、反時計回りの凹部列も設けられているものとする。【００１７】  図３の接触端子６と７は、図２の軸受部２５の雌ねじ２４と螺合する雄ねじ３２を備えると共に、吊り環３４を有する回転自在の環３３やクッション・ゴム３５を備える。
尚、受転部２５と同一の物がテレビ受像器３の４個所に内臓されている。【００１７】  上述の構成部材で、図１の支柱４と５には図２の支柱１１が使用されており、接触端子６と７には図３の部材が使用される。ただし、支柱５と接触端子７では吊り環１９と３４は使用されない。【００１８】  図５において、４０は壁、４１は天井で、天井４１の壁寄りの部位にはピクチャー・レール４２が固設されており、レール４２はスライダー４３と４４が滑動自在に保持されている。４４と４５はワイヤーで、夫々スライダー４３と４４に結合されており、ワイヤー４４と４５には、上下方向の位置調整の可能なフック４７と４８が夫々係合している。そしてフック４７は吊り環１９と、フック４８は吊り環３４と係合する。【００１９】  以上、説明した構成で、本発明に特徴的なのは、テレビ受像器２に支柱５を設けた点と支柱４から支柱５を適切な間隔だけ離間させた点である。【００２０】  図４は、力学的関係を描いており、テレビ受像器３は、図１の左側から見た状態で、本図では受像器３から壁１を便宜上、離して示している。
番号５０は支柱４の位置、番号５１は支柱４の先端が壁に当接した位置である。また５２が支柱５の位置、番号５３は支柱５の先端が壁に当接した位置である。５４はテレビ受像器３の重心で、Ｗは重量である。またｔは重心５４と壁１の距離、Ｌ１は点５１と５３の距離、Ｌ２は重心５４と点５３の垂直方向に測ったときの距離である。【００２１】  上の様に定義すると、重量Ｗはワイヤー４５と４６で保持している。点５１が、ラーメン支持であれば、Ｗ×ｔのモーメントが掛ることになるが、これは点５３に垂直な支柱５が受けている。しかし距離Ｌ１が短かくて、仮に点５３が重心５４より上方に在れば、今度は、点５３回りの回転力が発生する可能性が考えられる。従って距離Ｌ２を大きく取って、この回転力を打ち消している。【００２２】  以上、図１で支柱４と５をテレビ受像器３に対し水平方向に６０度に設定し、図２の様に基管１１、中間管１２、先頭管１３を全て伸ばせば、テレビ受像器の受像面（不図示）は水平方向で３０度傾くことになる。そしてテレビ受像器３に対する支柱の傾向と長さを調整すれば所望の傾きが得られる。
因みに傾き方向を変えるためには、図２の支柱と図３の接触端子を交換することで実施できる。【００２３】  以上述べた部材は種々の変更が可能で、例えば支柱は定まった長さの柱を使うことなどができる。更に軸受部を外付けにもできる。
【図面の簡単な説明】
【００２４】
【図１】本発明の実施形態を示す概要斜視図。
【図２】構成部材の斜視図。
【図３】別の構成部材の斜視図。
【図４】力関係の説明図。
【図５】部屋の一部を示す図。
【符号の説明】
【００２５】１        壁面
３        薄型テレビ受像器
４、５    支柱
６、７    接触端子
Ｌ１      回転打消し距離
【図１】
2007068136.tif 000003
【図２】
2007068136.tif 000004
【図３】
2007068136.tif 000005
【図４】
2007068136.tif 000006
【図５】
2007068136.tif 000007